(57)【要約】【課題】往復動ブレード用のアラインメント特徴部を有する、改良された信頼性の高い医用デバイス構成を提供すること。【解決手段】本明細書では医用デバイスが開示される。医用デバイスは、外方チューブ状部材および内方チューブ状部材を備える。外方チューブ状部材は、遠位端部、遠位端部に配設された開口窓、および１つまたは複数のくぼみを有する。内方チューブ状部材は、遠位先端部および１つまたは複数の軸方向溝を有する。内方チューブ状部材は、外方チューブ状部材内に受けられるように構成される。１つまたは複数の軸方向溝および１つまたは複数のくぼみは、外方チューブ状部材の開口窓に対して内方チューブ状部材の遠位先端部をアライニングするように構成される。外方チューブ状部材の開口窓および内方チューブ状部材の遠位先端部は、組織を切断するように構成される。【選択図】図１
2020157064.tif 000002
【特許請求の範囲】
【請求項１】
遠位端部、前記遠位端部に配設された開口窓、および１つまたは複数のくぼみを有する外方チューブ状部材と、
遠位先端部および１つまたは複数の軸方向溝を有する内方チューブ状部材であって、前記外方チューブ状部材内に受けられるように構成される、内方チューブ状部材と
を備え、
前記１つまたは複数の軸方向溝および前記１つまたは複数のくぼみは、前記外方チューブ状部材の前記開口窓に対して前記内方チューブ状部材の前記遠位先端部をアライニングするように構成され、前記外方チューブ状部材の前記開口窓および前記内方チューブ状部材の前記遠位先端部は、組織を切断するように構成される、医用デバイス。
【請求項２】
前記内方チューブ状部材の前記遠位先端部は、非対称遠位先端部を備える、請求項１に記載の医用デバイス。
【請求項３】
前記外方チューブ状部材の前記１つまたは複数のくぼみは、１つまたは複数の軸方向くぼみを備える、請求項１に記載の医用デバイス。
【請求項４】
前記内方チューブ状部材は、前記外方チューブ状部材に対して往復動するように構成される、請求項１に記載の医用デバイス。
【請求項５】
前記内方チューブ状部材が往復動するときに組織を切断するように構成される、請求項１に記載の医用デバイス。
【請求項６】
前記内方チューブ状部材に対して連結されたカラーをさらに備え、前記カラーは、前記１つまたは複数の軸方向溝を備える、請求項１に記載の医用デバイス。
【請求項７】
遠位端部、長手方向軸、前記遠位端部に配設された開口窓、および溝を有する外方チューブ状部材と、
遠位先端部、外方表面、内方表面、および前記外方表面上に配設されたピンを有する内方チューブ状部材であって、前記外方チューブ状部材内に受けられるように構成される、内方チューブ状部材と
を備え、
前記内方チューブ状部材の前記ピンは、前記外方チューブ状部材の前記開口窓に対して前記内方チューブ状部材の前記遠位先端部をアライニングするように、前記外方チューブ状部材の前記溝に対合するように構成され、前記外方チューブ状部材の前記開口窓および前記内方チューブ状部材の前記遠位先端部は、組織を切断するように構成される、医用デバイス。
【請求項８】
前記溝は、前記長手方向軸の方向に沿って延在する、請求項７に記載の医用デバイス。
【請求項９】
前記内方チューブ状部材の前記遠位先端部は、非対称遠位先端部を備える、請求項７に記載の医用デバイス。
【請求項１０】
前記内方チューブ状部材が前記外方チューブ状部材に対して往復動するときに組織を切断するように構成される、請求項７に記載の医用デバイス。
【請求項１１】
前記内方チューブ状部材に対して連結されたカラーをさらに備え、前記ピンは前記カラーに位置する、請求項７に記載の医用デバイス。
【請求項１２】
前記溝は、前記外方チューブ状部材の壁部セクションに位置する、請求項７に記載の医用デバイス。
【請求項１３】
遠位開口窓、外方壁部、および内方壁部を有する外方部材と、
遠位先端部、外方壁部、および内方壁部を有する内方部材であって、前記内方チューブ状部材は前記外方部材内に受けられるように構成される、内方部材と
を備え、
前記内方部材の前記外方壁部の遠位セクションおよび前記外方部材の前記内方壁部の遠位セクションが共に、前記外方部材の前記遠位開口窓に対して前記内方部材の前記遠位先端部をアライニングするために平坦表面を有するように構成され、前記外方部材の前記遠位開口窓および前記内方部材の前記遠位先端部は、組織を切断するように構成される、医用デバイス。
【請求項１４】
前記内方部材の前記遠位先端部は、非対称遠位先端部を備える、請求項１３に記載の医用デバイス。
【請求項１５】
前記内方部材は、前記外方部材に対して往復動するように構成される、請求項１３に記載の医用デバイス。
【請求項１６】
前記内方部材が往復動するときに組織を切断するように構成される、請求項１３に記載の医用デバイス。
【請求項１７】
前記平坦表面は、前記内方部材と前記外方部材との間における回転を防止するように構成される、請求項１３に記載の医用デバイス。
【請求項１８】
前記外方部材の前記平坦表面は、前記外方部材の内方壁部セクションに位置する、請求項１３に記載の医用デバイス。
【請求項１９】
前記内方部材の前記平坦表面は、前記内方部材の外方壁部セクションに位置する、請求項１３に記載の医用デバイス。
【発明の詳細な説明】
【技術分野】
【０００１】
本発明は、医用デバイスに関し、より詳細には医用デバイスの切断部材のための平面アラインメントに関する。
【背景技術】
【０００２】
往復動ブレードを有する従来の外科用シェーバは、対称または非対称の切断特徴部を有し得る。内方部材が切断軸を中心とする対称先端部形状を有する場合には、平面アラインメントは一般的には必要とされない。しかし、斜角または他の非対称内方先端部構成の場合には、内方部材および外方部材は、所望の切断動作が可能になるように定平面内に留まらなければならない。このことは、外方部材が切断開口の位置を配向変更するためになんらかの手段により回転される場合にはさらに重要である。
【発明の概要】
【発明が解決しようとする課題】
【０００３】
したがって、往復動ブレード用のアラインメント特徴部を有する、改良された信頼性の高い医用デバイス構成を提供する必要がある。
【課題を解決するための手段】
【０００４】
本発明の一態様によれば、医用デバイスが開示される。この医用デバイスは、外方チューブ状部材および内方チューブ状部材を備える。外方チューブ状部材は、遠位端部、遠位端部に配設された開口窓、および１つまたは複数のくぼみを有する。内方チューブ状部材は、遠位先端部および１つまたは複数の軸方向溝を有する。内方チューブ状部材は、外方チューブ状部材内に受けられるように構成される。１つまたは複数の軸方向溝および１つまたは複数のくぼみは、外方チューブ状部材の開口窓に対して内方チューブ状部材の遠位先端部をアライニングするように構成される。外方チューブ状部材の開口窓および内方チューブ状部材の遠位先端部は、組織を切断するように構成される。
【０００５】
本発明の別の態様によれば、医用デバイスが開示される。この医用デバイスは、外方チューブ状部材および内方チューブ状部材を備える。外方チューブ状部材は、遠位端部、長手方向軸、遠位端部に配設された開口窓、および溝を有する。内方チューブ状部材は、遠位先端部、外方表面、内方表面、および外方表面上に配設されたピンを有し、内方チューブ状部材は、外方チューブ状部材内に受けられるように構成される。内方チューブ状部材のピンは、外方チューブ状部材の開口窓に対して内方チューブ状部材の遠位先端部をアライニングするように、外方チューブ状部材の溝に対合するように構成される。外方チューブ状部材の開口窓および内方チューブ状部材の遠位先端部は、組織を切断するように構成される。
【０００６】
本発明の別の態様によれば、医用デバイスが、外方部材および内方部材を備える。外方部材は、遠位開口窓、外方壁部、および内方壁部を有する。内方部材は、遠位先端部、外方壁部、および内方壁部を有する。内方チューブ状部材は、外方部材内に受けられるように構成される。内方部材の外方壁部の遠位セクションおよび外方部材の内方壁部の遠位セクションは共に、外方部材の遠位開口窓に対して内方部材の遠位先端部をアライニングするために平坦表面を有するように構成される。外方部材の遠位開口窓および内方部材の遠位先端部は、組織を切断するように構成される。
【０００７】
以下の説明では、添付の図面との関連において前述の態様および本発明の他の特徴を説明する。
【図面の簡単な説明】
【０００８】
【図１】本発明の特徴を組み込んだ医用デバイスの側面図である。
【図２】図１に示す医用デバイスにおいて使用される切断先端部の代替的な実施形態を示す図である。
【図３】図１に示す医用デバイスにおいて使用される切断先端部の代替的な実施形態を示す図である。
【図４】図１に示す医用デバイスにおいて使用される切断先端部の代替的な実施形態を示す図である。
【図５】図１に示す医用デバイスにおいて使用される切断先端部の代替的な実施形態を示す図である。
【図６】図１に示す医用デバイスの内方ブレードチューブの断面図である（図７の図からの断面）。
【図７】図１に示す医用デバイスの内方ブレードチューブの断面図である。
【図８】図１に示す医用デバイスの外方ブレードチューブの断面図である。
【図９】図１に示す医用デバイスの内方ブレードチューブの代替的な実施形態の断面図である。
【図１０】図１に示す医用デバイスの内方ブレードチューブの代替的な実施形態の断面図である。
【図１１】図１に示す医用デバイスの外方ブレードチューブの代替的な実施形態の断面図である。
【図１２】図１に示す医用デバイスの内方ブレードチューブの代替的な実施形態の断面図である（図１３の図からの断面）。
【図１３】図１２に示す医用デバイスの内方ブレードチューブの断面図である。
【図１４】図１に示す医用デバイスの外方ブレードチューブの代替的な実施形態の断面図である（図１５の図からの断面）。
【図１５】図１４に示す医用デバイスの外方ブレードチューブの断面図である。
【図１６】図１に示す医用デバイスにおいて使用される代替的なブレードチューブセクションの断面図および平面図である。
【発明を実施するための形態】
【０００９】
図１を参照すると、本発明の特徴部を組み込んだ医用デバイス１０の側方部分断面図が示される。図面内に示される例示の実施形態を参照として本発明を説明するが、本発明は多数の代替的な実施形態において具現化され得る点を理解されたい。さらに、任意の適切なサイズ、形状、またはタイプの要素または材料を使用することが可能である。
【００１０】
様々な例示の実施形態によれば、医用デバイス１０は、鼻ポリープの除去、鼻介骨の粘膜下デバルク、および内視鏡下機能的副鼻腔手術（ＦＥＳＳ）における使用向けに一般的に構成される。
【００１１】
例えば使い捨て式デブリーダであり得る医用デバイス１０は、ハウジング１２（ピストルグリップ部分１４を有し得る）、ブレードチューブセクション１６、およびノーズピース１８を備える。ノーズピース１８は、回転可能ノーズピースであってもよく、ハウジング１２とブレードチューブセクション１６との間に位置する。しかし、医用デバイスの例示の実施形態は、外方部材（ハウジングの）に対して結合されたノーズコーンを有する構成などの任意の適切な構成、または例えば潅注特徴部を備え得る任意の他の適切な湾曲状もしくは直線状のデブリーダ構成を備えてもよい点に留意されたい。デバイス１０のブレードチューブセクション１６は、解剖学的構造および外科医選択に応じて大きなおよび小さなシェーバチューブを備えて構成されることが可能であり、また双極高周波（ＲＦ）電力または単極高周波（ＲＦ）電力に対して適合化され得る。例えば、外部ＥＳＧ（電気外科用発電機）がＲＦ電力を供給してもよい。
【００１２】
ハウジング１２は、デバイス１０の作動部材を収容するようにサイズ設定および形状設定された内空洞部２０を備える。さらに、いくつかの実施形態では、オプションのピストルグリップ部分１４が、デバイス１０の作動部材（または他のハードウェア）を収容するようにやはりサイズ設定および形状設定され得る内空洞部２２を備え得る。
【００１３】
ブレードチューブセクション１６は、外方ブレードチューブ２４および内方ブレードチューブ２６を備え、医用デバイス１０は、空洞部２０内に取り付けられた（または空洞部２２内に取り付けられた）ブレード駆動システム２８をさらに備え、このブレード駆動システム２８は、内方ブレードチューブ２６を駆動するように構成される。いくつかの実施形態では、ブレードチューブ２４、２６は、可撓性および／または湾曲状のチューブを備え得る点に留意されたい。
【００１４】
さらに、医用デバイス１０は、コネクタ３０および電源ケーブル３２を備える。コネクタ（または吸引接続部）３０は、吸引チューブまたは真空源に対して連結するように構成される。コネクタ３０は、コネクタ３０の内部に取り付けられた動的シール３４を備える。動的シール３４は、コネクタ３０と内方ブレードチューブ２６の内方ルーメン３６との間（内方ブレードチューブ２６の外方表面を介した）に封止境界部を提供するように構成される。電源ケーブル３２は、ブレード駆動システム２８の構成要素に対して電力を供給するように構成される。
【００１５】
外方ブレードチューブ（または外方チューブ状部材）２４は、ハウジング１２に対して（回転可能にまたは固定的に）取り付けられ、静的部材として機能する。例えば、様々な例示の実施形態によれば、ノーズピース１８は、外方ブレードチューブ２４に対して取り付けられることが可能であり、任意にはハウジング１２とは無関係に外方ブレードチューブ２４を回転させ得る。内方ブレードチューブ（または内方チューブ状部材）２６は、外方ブレードチューブ２４の内部に摺動可能に取り付けられる（内方ブレードチューブ２６が外方ブレードチューブ２４のルーメン３８内に摺動可能に取り付けられるように）。
【００１６】
内方ブレードチューブ２６は、ブレード駆動システム２８により遠位方向に（すなわち遠位端部４０に向かって）または近位方向に（すなわち近位端部４２に向かって）付勢されるように構成される。外方ブレードチューブ２４は、医用デバイス１０のための切断窓４６を形成する開口（または開口窓）４４を遠位端部４０の近位に備える。切断窓４６は、外方ブレードチューブの切断エッジ４８（すなわち開口４４の遠位エッジ）と内方ブレードチューブ２６の切断先端部５０とにより形成される。内方ブレードチューブ２６の往復動は、切断先端部５０による切断エッジ４８に対する往復動をもたらして組織切断を実施させる（すなわち外方ブレードチューブ２４の開口４４とアラインメント状態におよび非アラインメント状態に切断先端部５０をおくことにより）。図１に示す実施形態では、切断エッジ４８は、切断窓４６の円筒上面部分に位置する。しかし、代替的な実施形態では、切断エッジは、遠位端部４０に沿った任意の適切な位置に設けられてもよい。
【００１７】
本発明の様々な例示の実施形態が角度をつけられた直線状エッジ構成を備える切断先端部５０との関連において説明されたが、代替的な実施形態は他の適切な構成を備え得る点に留意されたい。例えば、図２〜図５は、切断先端部５０に関する代替的な実施形態を示す（切断先端部５０Ａ、５０Ｂ、５０Ｃ、５０Ｄを参照）。
【００１８】
次にさらに図６〜図８を参照すると、往復動切断器具の往復動（内方）部材２６に対する不動（外方）部材２４の平面アライニングを実現する例示の実施形態が示される。
【００１９】
図６〜図８に示す実施形態では、外方部材２４中の成形くぼみ５２および内方部材２６中の軸方向溝５４が設けられる。軸方向溝５４は、内方部材２６に対して固着（または他の方法で結合）されたカラー５６に設けられ得る。しかし、代替的な実施形態では、軸方向溝は、内方部材２６の外方表面に設けられることが可能である。様々な例示の実施形態によれば、軸方向溝５４は、内方部材２６の切断ストロークよりも長い任意の長さを有することが可能であり、内方部材２６が外方部材２４内に挿入される場合にくぼみ５２を受けるように構成される。軸方向溝５４およびくぼみ５２は、外方部材２４とは無関係に内方部材２６の回転を防止するようにサイズ設定される。軸方向溝５４内にくぼみ５２が受けられた状態では、内方部材２６と外方部材２４との間の回転が防止され、したがって平面アラインメントが内方部材２６と外方部材２４との間に実現される。内方部材２６と外方部材２４との間の平面アラインメントは、切断エッジ４８に対する切断先端部５０の望ましい位置をもたらす（外方部材２４に対する（内方部材２６の長手方向軸に沿った）内方部材２６の回転を防止することにより）。
【００２０】
様々な例示の実施形態によれば、軸方向溝特徴部は、くぼみ特徴部の中の１つまたは複数に隣接する位置に留まる限りにおいては２つ以上の位置に設けられることが可能であり、またそのくぼみ特徴部に隣接する位置に留まる限りにおいてはブレードチューブセクション１６の軸に沿った任意の位置に配置され得る。さらに、いくつかの実施形態では、くぼみは、軸方向くぼみを形成するように軸方向に延在する細長形状を備えてもよい。
【００２１】
次にさらに図９〜図１１を参照すると、往復動切断器具１０の往復動（内方）部材１２６に対する不動（外方）部材１２４の平面アライニングを実現する別の例示の実施形態が示される。不動（外方）部材１２４は、不動（外方）部材２４と同様であり、往復動（内方）部材１２６は、往復動（内方）部材２６と同様である。しかし、図９〜図１１に示す実施形態では、ピン１５８が、内方チューブ状部材１２６の外方表面に対して固着（もしくは結合）される（図９を参照）、および／または内方チューブ状部材１２６に対して固着（もしくは結合）された１つもしくは複数のカラー１６０に対して固着（もしくは結合）される（図１０を参照）。外方部材１２４中の溝１６２が、ピン１５８との対合をもたらすようにサイズ設定および形状設定される。溝１６２は、外方チューブ状部材１２４の壁部セクション１２５を部分的にまたは完全に貫通することが可能であり、また外方部材の外部に対して固着されたカラー（図示せず）を備えてもよい。また、溝１６２は、外方部材１２４の壁部セクション１２５およびカラー（図示せず）の両方を完全に貫通して形成されることも、または外方部材１２４の壁部セクション１２５を完全に貫通しカラー（図示せず）を部分的に貫通して形成されることも可能である。
【００２２】
様々な例示の実施形態によれば、対合溝特徴部１６２は、内方部材１２６の切断ストロークよりも長い任意の長さを有することが可能であり、内方部材１２６が外方部材１２４内に挿入される場合にピン１５８を受けるように構成される。溝１６２およびピン１５８は、外方部材１２４とは無関係に内方部材１２６の回転を防止するようにサイズ設定される。溝１６２内にピン１５８が受けられた状態では、内方部材１２６と外方部材１２４との間の回転が防止され、したがって平面アラインメントが内方部材１２６と外方部材１２４との間に実現される。内方部材１２６と外方部材１２４との間の平面アラインメントは、切断エッジ４８に対する切断先端部５０の望ましい位置をもたらす（外方部材１２４に対する（内方部材１２６の長手方向軸に沿った）内方部材１２６の回転を防止することにより）。
【００２３】
様々な例示の実施形態によれば、対合溝特徴部は、ピンに隣接して位置する限りにおいては２つ以上の位置に設けられることが可能であり、またそのピンに隣接して位置する限りにおいてはデバイスの軸に沿った任意の位置に配置されることが可能である。
【００２４】
次にさらに図１２〜図１５を参照すると、往復動切断器具１０の往復動（内方）部材２２６に対する不動（外方）部材２２４の平面アライニングを実現する別の例示の実施形態が示される。不動（外方）部材２２４は、不動（外方）部材２４と同様であり、往復動（内方）部材２２６は、往復動（内方）部材２６と同様である。しかし、図１２〜図１５に示す実施形態では、機械加工平坦セクション２７０が、内方部材２２６の先端部（または遠位端部）上に設けられ、対合略「Ｄ円」形状特徴部２７２が、外方部材２２４の内方表面上に設けられる。内方部材２２６は、デバイスの遠位先端部にて拡張軸受セクションに沿って直径方向近接状態において外方部材２２４のボア内部に同心状に嵌着する。内方部材２２６の壁部セクション２２７は、外方部材２２４の内径（ＩＤ）と内方部材２２６の外径（ＯＤ）との間に逃げ隙間を与えるために遠位軸受の近位において縮小され得る。
【００２５】
様々な例示の実施形態によれば、外方部材特徴部２７２は、内方部材２２６の切断ストロークよりも長い任意の長さを有することが可能であり、内方部材２２６が外方部材２２４内に挿入される場合に平坦セクション２７０を受けるように構成される。平坦セクション２７０および「Ｄ円」形状特徴部２７２は、外方部材２２４とは無関係に内方部材２２６の回転を防止するようにサイズ設定および形状設定される。「Ｄ円」形状特徴部２７２および平坦セクション２７０（外方部材２２４および内方部材２２６の遠位先端部の軸受セクションを形成する）が密接嵌着状態にあるため、内方部材２２６は、外方部材２２４とは無関係に軸を中心とした回転を抑制される。
【００２６】
「Ｄ円」形状特徴部２７２内に平坦セクション２７０が受けられた状態では、内方部材２２６と外方部材２２４との間の回転が防止され、したがって平面アラインメントが内方部材２２６と外方部材２２４との間に実現される。内方部材２２６と外方部材２２４との間の平面アラインメントは、切断エッジ４８に対する切断先端部５０の望ましい位置をもたらす（外方部材２２４に対する（内方部材２２６の長手方向軸に沿った）内方部材２２６の回転を防止することにより）。
【００２７】
様々な例示の実施形態によれば、外方部材特徴部は、２つ以上の位置に設けられることが可能であり、デバイスの軸に沿った任意の位置に配置されることが可能である。外方部材は、単体片、または外方チューブ状部材の壁部および「Ｄ円」形状特徴部を備えるセクションが溶接もしくは他の適切な手段により固着された複数片であることが可能である。
【００２８】
これらの例示の実施形態の中の任意の１つまたは複数の技術的効果は、往復動切断器具の往復動（内方）部材に対する不動（外方）部材の平面アライニングにより、従来の構成を上回る著しい利点をもたらす。様々な例示の実施形態のもう１つの技術的効果は、アラインメント特徴部が直線状デバイスおよび湾曲状デバイスの両方と共に使用され得る点である。
【００２９】
外方ブレードチューブ２４、１２４、２２４の切断窓４６に位置する切断エッジ４８を有するブレードチューブセクション１６との関連において、本発明の様々な例示の実施形態を説明したが、他の構成も実現され得る。例えば、ブレードチューブセクション３１６の代替的な実施形態が、図１６（断面図（上）および平面図（下）を示す）に示される。ブレードチューブセクション１６と同様に、ブレードチューブセクション３１６は、ブレード駆動システム２８により駆動されるように構成された外方ブレードチューブ３２４および内方ブレードチューブ３２６を備える。しかし、この実施形態では、内方ブレードチューブ３２６は、切断窓３４７および切断エッジ３４９を備える。切断窓３４７は、組織３７１が窓３４６、３４７を貫通して延在し、内方ブレードチューブ３２６の後退移動（近位端部に向かう（矢印３９５を参照））により切断エッジ３４９が組織３７１を切り通すときに、切断が実現されるように、外方ブレードチューブ３２４の窓３４６に対してアライニングするように構成される。
【００３０】
以下、様々な非限定的な例示の実施形態をさらに説明する。以下に説明する例示の実施形態は、１つまたは複数の他の態様または例示の実施形態との組合せにおいて実施されてもよい。すなわち、以下に説明するものなどの本発明の例示の実施形態は、任意の組合せ（例えば適切、実施可能、および／または実現可能な任意の組合せ）で実装、実施、または利用されてもよく、本明細書において説明されるおよび／または添付の特許請求の範囲に含まれる組合せのみに限定されない。
【００３１】
例示の一実施形態では、医用デバイスは、遠位端部、遠位端部に配設された開口窓、および１つまたは複数のくぼみを有する外方チューブ状部材と、遠位先端部および１つまたは複数の軸方向溝を有する内方チューブ状部材とを備える。内方チューブ状部材は、外方チューブ状部材内に受けられるように構成され、１つまたは複数の軸方向溝および１つまたは複数のくぼみは、外方チューブ状部材の開口窓に対して内方チューブ状部材の遠位先端部をアライニングするように構成される。外方チューブ状部材の開口窓および内方チューブ状部材の遠位先端部は、組織を切断するように構成される。
【００３２】
内方チューブ状部材の遠位先端部が非対称遠位先端部を備える、上述のような医用デバイス。
【００３３】
外方チューブ状部材の１つまたは複数のくぼみが１つまたは複数の軸方向くぼみを備える、上述のような医用デバイス。
【００３４】
内方チューブ状部材が外方チューブ状部材に対して往復動するように構成される、上述のような医用デバイス。
【００３５】
内方チューブ状部材が往復動するときに医用デバイスが組織を切断するように構成された、上述のような医用デバイス。
【００３６】
内方チューブ状部材に対して連結されたカラーをさらに備え、カラーが１つまたは複数の軸方向溝を備える、上述のような医用デバイス。
【００３７】
別の例示の実施形態では、医用デバイスが、遠位端部、長手方向軸、遠位端部に配設された開口窓、および溝を有する外方チューブ状部材と、遠位先端部、外方表面、内方表面、および外方表面上に配設されたピンを有する内方チューブ状部材とを備える。内方チューブ状部材は、外方チューブ状部材内に受けられるように構成され、内方チューブ状部材のピンは、外方チューブ状部材の開口窓に対して内方チューブ状部材の遠位先端部をアライニングするように、外方チューブ状部材の溝に対合するように構成される。外方チューブ状部材の開口窓および内方チューブ状部材の遠位先端部は、組織を切断するように構成される。
【００３８】
溝が長手方向軸の方向に沿って延在する、上述のような医用デバイス。
【００３９】
内方チューブ状部材の遠位先端部が非対称遠位先端部を備える、上述のような医用デバイス。
【００４０】
内方チューブ状部材が外方チューブ状部材に対して往復動するときに医用デバイスが組織を切断するように構成された、上述のような医用デバイス。
【００４１】
内方チューブ状部材に対して連結されたカラーをさらに備え、ピンがカラーに位置する、上述のような医用デバイス。
【００４２】
溝が外方チューブ状部材の壁部セクションに位置する、上述のような医用デバイス。
【００４３】
別の例示の実施形態では、医用デバイスが、遠位開口窓、外方壁部、および内方壁部を有する外方部材と、遠位先端部、外方壁部、および内方壁部を有する内方部材とを備える。内方チューブ状部材は、外方部材内に受けられるように構成される。内方部材の外方壁部の遠位セクションおよび外方部材の内方壁部の遠位セクションは共に、外方部材の遠位開口窓に対して内方部材の遠位先端部をアライニングするための平坦表面を有するように構成される。外方部材の遠位開口窓および内方部材の遠位先端部は、組織を切断するように構成される。
【００４４】
内方部材の遠位先端部が非対称遠位先端部を備える、上述のような医用デバイス。
【００４５】
内方部材が外方部材に対して往復動するように構成される、上述のような医用デバイス。
【００４６】
内方部材が往復動するときに医用デバイスが組織を切断するように構成される、上述のような医用デバイス。
【００４７】
平坦表面が内方部材と外方部材との間の回転を防止するように構成される、上述のような医用デバイス。
【００４８】
外方部材の平坦表面が外方部材の内方壁部セクションに位置する、上述のような医用デバイス。
【００４９】
内方部材の平坦表面が内方部材の外方壁部セクションに位置する、上述のような医用デバイス。
【００５０】
本発明の構成要素が、動作的に結合または連結されることが可能であり、任意の個数または組合せの中間要素が存在することが可能である（中間要素を備えないことを含む）点を理解されたい。連結部は、直接的または間接的であることが可能であり、さらに構成要素間において単なる機能的関係のみが存在することも可能である。
【００５１】
前述の説明は、本発明の例示に過ぎない点を理解されたい。様々な代替および修正が、本発明から逸脱することなく当業者には考案され得る。したがって、本発明は、添付の特許請求の範囲内に含まれるあらゆるかかる代替、修正、および変形を包含するように意図される。
【符号の説明】
【００５２】
１０  医用デバイス
１２  ハウジング
１４  ピストルグリップ部分
１６  ブレードチューブセクション
１８  ノーズピース
２０  内空洞部
２２  内空洞部
２４  外方ブレードチューブ
２６  内方ブレードチューブ
２８  ブレード駆動システム
３０  コネクタ
３２  電源ケーブル
３４  動的シール
３６  内方ルーメン
３８  ルーメン
４０  遠位端部
４２  近位端部
４４  開口、開口窓
４６  切断窓
４８  切断エッジ
５０  切断先端部
５２  成形くぼみ
５４  軸方向溝
５６  カラー
１２４  不動外方部材
１２５  壁部セクション
１２６  往復動内方部材    １５８  ピン
１６０  カラー
１６２  溝
２２４  不動外方部材
２２６  往復動内方部材
２２７  壁部セクション
２７０  機械加工平坦セクション
２７２  対合略「Ｄ円」形状特徴部
３１６  ブレードチューブセクション
３２４  外方ブレードチューブ
３２６  内方ブレードチューブ
３４６  窓
３４７  切断窓
３４９  切断エッジ
３７１  組織
【図１】
2020157064.tif 000003
【図２】
2020157064.tif 000004
【図３】
2020157064.tif 000005
【図４】
2020157064.tif 000006
【図５】
2020157064.tif 000007
【図６】
2020157064.tif 000008
【図７】
2020157064.tif 000009
【図８】
2020157064.tif 000010
【図９】
2020157064.tif 000011
【図１０】
2020157064.tif 000012
【図１１】
2020157064.tif 000013
【図１２】
2020157064.tif 000014
【図１３】
2020157064.tif 000015
【図１４】
2020157064.tif 000016
【図１５】
2020157064.tif 000017
【図１６】
2020157064.tif 000018
【外国語明細書】
2020157064000001.pdf